(57)【要約】【課題】ハウリングを防止することができる音声出力装置を提供する。【解決手段】使用者の少なくとも一方の耳の近傍で音声を出力する音声出力部８を備える音声出力装置４であって、使用者が音声入出力装置１００を付けた状態で該音声出力装置を装着した場合に、前記音声出力部と前記音声入出力装置との間に位置する消音部材１２を備える。【選択図】図２
2011018985.tif 000002
【特許請求の範囲】
【請求項１】
使用者の少なくとも一方の耳の近傍で音声を出力する音声出力部を備える音声出力装置であって、
使用者が音声入出力装置を付けた状態で該音声出力装置を装着した場合に、前記音声出力部と前記音声入出力装置との間に位置する消音部材を備えることを特徴とする音声出力装置。
【請求項２】
前記消音部材は、吸音材を備えることを特徴とする請求項１記載の音声出力装置。
【請求項３】
前記消音部材は、無響構造を有することを特徴とする請求項１または２に記載の音声出力装置。
【請求項４】
前記消音部材は、前記音声出力部に対向する位置からずれた位置であって、マイクの位置を移動させた前記音声入出力装置の前記マイクを収容可能な位置に配置されていることを特徴とする請求項１または２に記載の音声出力装置。
【請求項５】
前記消音部材の有無を検出する検出部と、
前記検出部により前記消音部材が有ることが検出された場合に、前記音声出力部から出力される音声の音質及び音量の少なくとも一方を補正する音声補正部と
を備えることを特徴とする請求項１〜４の何れか一項に記載の音声出力装置。
【請求項６】
前記音声入出力装置の周辺部を覆う密閉部材を備えることを特徴とする請求項１記載の音声出力装置。
【請求項７】
前記消音部材を有する耳あて部を備え、該耳あて部は、前記消音部材を有さない耳あて部と交換可能に構成されていることを特徴とする請求項１記載の音声出力装置。
【請求項８】
頭部または顔前に装着して表示されている映像を観察可能な表示部を備えることを特徴とする請求項１〜７の何れか一項に記載の音声出力装置。
【発明の詳細な説明】
【技術分野】
【０００１】
本発明は、音声出力装置に関するものである。
【背景技術】
【０００２】
従来、難聴者でもハイファイステレオにて音声を聴くことができる補聴装置に関し、ハウリング対策のためヘッドフォンをオープンエア型にする技術が存在する（例えば、特許文献１参照）。
【先行技術文献】
【特許文献】
【０００３】
【特許文献１】特開平５−１３０６９６号公報
【発明の概要】
【発明が解決しようとする課題】
【０００４】
しかしながら、上述のヘッドフォンは、オープンエア型であることからヘッドフォンから音が漏れ、公共の環境において使用した際に周囲へ迷惑をかけるおそれがある。また、近年の補聴器の性能向上により、単にオープンエア型のヘッドフォンを使用しただけでは、ハウリングを防止できなくなっている。
【０００５】
本発明の目的は、ハウリングを防止することができる音声出力装置を提供することである。
【課題を解決するための手段】
【０００６】
本発明の音声出力装置は、使用者の少なくとも一方の耳の近傍で音声を出力する音声出力部を備える音声出力装置であって、使用者が音声入出力装置を付けた状態で該音声出力装置を装着した場合に、前記音声出力部と前記音声入出力装置との間に位置する消音部材を備えることを特徴とする。
【発明の効果】
【０００７】
本発明の音声出力装置によれば、ハウリングを防止することができる。
【図面の簡単な説明】
【０００８】
【図１】実施の形態に係るヘッドフォンを使用者が装着した状態を示す図である。
【図２】実施の形態に係る左側ヘッドフォンユニットの内部構成を示す図である。
【図３】実施の形態に係るヘッドフォンユニットの変形例を示す図である。
【図４】実施の形態に係るヘッドフォンユニットの変形例を示す図である。
【図５】実施の形態に係るヘッドフォンユニットの変形例を示す図である。
【図６】実施の形態に係るヘッドフォンユニットの変形例を示す図である。
【図７】実施の形態に係るヘッドフォンユニットのブロック構成図である。
【図８】実施の形態に係るヘッドフォンユニットの変形例のブロック構成図である。
【図９】実施の形態に係る単眼ヘッドマウントディスプレイを使用者が装着した状態を示す図である。
【図１０】実施の形態に係る単眼ヘッドマウントディスプレイの正面図である。
【図１１】実施の形態に係る単眼ヘッドマウントディスプレイの側面図である。
【発明を実施するための形態】
【０００９】
以下、図面を参照して本発明の実施の形態に係るヘッドフォンについて説明する。本実施の形態ではヘッドフォンを示しているが、それに限らない。耳の近くにスピーカを配置する用途、例えば電話やヘッドマウントディスプレイ等にも適用することができる。図１は実施の形態に係るヘッドフォンを使用者が装着した状態を示す図である。この図に示すように、ヘッドフォン２は使用者が頭部に装着した際に、左耳に対向して配置される左側ヘッドフォンユニット４と、右耳に対向して配置される右側ヘッドフォンユニット６とを備え、左側ヘッドフォンユニット４と右側ヘッドフォンユニット６とが連結部８により接続されている。
【００１０】
図２は、左側ヘッドフォンユニット４の内部構成を示す図である。なお、右側ヘッドフォンユニット６の構成は、左側ヘッドフォンユニット４の構成と同様であるため説明を省略する。また、この図において破線で示すものは使用者の耳であり使用者の耳には補聴器１００が装着されている。補聴器１００は、使用者の耳孔内に挿入する部分にスピーカ１００Ａを備え反対側の面にマイク１００Ｂを備えている。左側ヘッドフォンユニット４は内部にヘッドフォンスピーカ８を備えると共に、ヘッドフォンスピーカ８の周囲を囲む耳あて部１０を備えている。耳あて部１０には吸音材により構成される円板状の消音部材１２がヘッドフォンスピーカ８と補聴器１００との間に位置するように設けられている。
【００１１】
この実施の形態に係るヘッドフォンによれば、補聴器とヘッドフォンのヘッドフォンスピーカとの間に配置される消音部材を備えるため、この消音部材により補聴器から漏れた音声を消音し、補聴器から漏れた音声がヘッドフォンユニットの内部で反射して補聴器のマイクに入力されないようにすることにより、使用者が補聴器を装着している場合にハウリングの発生を防止することができる。
【００１２】
図３〜図６は、実施の形態に係るヘッドフォンのヘッドフォンユニットの変形例を示す図である。ここで左側ヘッドフォンユニット４と右側ヘッドフォンユニット６とは同一の構成であるため、図３〜図６の説明においては、左側ヘッドフォンユニット４についてのみ説明を行う。
【００１３】
図３に示す左側ヘッドフォンユニット４においては、消音部材１２はヘッドフォンスピーカ８に対向する位置からずれた位置であって、マイク１００Ｂの位置を移動させた補聴器１００のマイク１００Ｂを収容可能な位置に配置され、マイク１００Ｂを収容可能な形状を有している。ここで図３に示す補聴器１００は、補聴器１００からコード１００ｃで接続されたマイク１００Ｂを引き出すことができ、引き出されたマイク１００Ｂが消音部材１２内に収容される。
【００１４】
この図に示すヘッドフォンユニットにおいては、消音部材により補聴器から漏れた音声を消音し、補聴器から漏れた音声がヘッドフォンユニットの内部で反射して補聴器のマイクに入力されないようにすることにより、使用者が補聴器を装着している場合にハウリングの発生を防止することができる。
【００１５】
図４に示すヘッドフォンユニットは、図２に示すヘッドフォンユニットの消音部材１２を、補聴器１００側の面に多数の凹凸により構成される無響構造を有する消音部材１４に変更したものである。
【００１６】
この図に示すヘッドフォンユニットにおいては、補聴器から漏れた音声の消音をより効果的に行うことができ、使用者が補聴器を装着している場合にハウリングの発生を防止することができる。
【００１７】
図５に示すヘッドフォンユニット４は、図２に示すヘッドフォンユニット４の消音部材１２に代えて、補聴器１００の周辺部を覆う密閉部材１６を備えるものである。
【００１８】
この図に示すヘッドフォンユニットにおいては、補聴器から漏れる音声を減少させることができ、使用者が補聴器を装着している場合にハウリングの発生を防止することができる。なお、この場合には密閉部材１６を別に用意し、着脱可能とすることにより通常のヘッドフォンとして使用することができる。
【００１９】
図６に示すヘッドフォンユニットは、図２に示すヘッドフォンユニットに消音部材検出部１８を備えるものである。消音部材検出部１８を備えるヘッドフォンユニット４においては、図７に示すように、消音部材検出部１８によりヘッドフォンユニット４に消音部材１２が備えられていることを検出した場合には、音声補正部２０により外部ＡＶ機器５０から入力される音声信号に対して、音質及び音量の少なくとも一方に関する補正を行い、ヘッドフォンスピーカ８から出力される音声の音質及び音量の少なくとも一方を補正する。または図８に示すように、消音部材検出部１８によりヘッドフォンユニット４に消音部材１２が備えられていることを検出した場合には、外部ＡＶ機器５０に対して制御信号を送信する。外部ＡＶ機器５０は制御信号入力部５１を介して制御信号を受信すると、音声再生部５３により再生される音声信号に対して、音声補正部５２により音質及び音量の少なくとも一方に関する補正を行い、音声出力部５４を介して音声信号をヘッドフォン２に対して送信する。ヘッドフォン２のヘッドフォンスピーカ８は音質及び音量の少なくとも一方に対して補正された音声の出力を行う。従って、これらの場合には、ヘッドフォンユニットに消音部材が備えられている場合においても、使用者にとって聞きやすい音声の出力を行うことができる。さらに、音声の音質及び音量の補正は消音部材についての補正だけでなく、消音部材と補聴器を総合して補正することもできる。
【００２０】
なお、上述の実施の形態において、耳あて部に消音部材が一体に形成されている場合においても、消音部材が一体に形成されている耳あて部を消音部材が形成されていない耳あて部と交換可能にすることにより通常のヘッドフォンとして使用することができる。
【００２１】
図９は、実施の形態に係る単眼ヘッドマウントディスプレイを使用者が装着した状態を示す図である。単眼ヘッドマウントディスプレイ６０は、使用者が頭部に装着することにより、顔前に位置し表示されている映像を使用者が観察可能な単眼表示部６６を備えている。なお、この単眼ヘッドマウントディスプレイ６０は、ヘッドフォンユニット６２，６４を備えるが、ヘッドフォンユニット６２，６４は、上述の実施形態に係るヘッドフォン２のヘッドフォンユニット４，６と同様な構成を有する。
【００２２】
図１０に示す単眼ヘッドマウントディスプレイ６０には、ヘッドフォンユニット６２に消音部材が設けられていない耳あて部６３が取り付けられ、ヘッドフォンユニット６４に消音部材６７が設けられている耳あて部６５が取り付けられているが、取り付け位置は交換可能である。使用者が補聴器１００を右耳に装着し、効き目が左目の場合には、図１１に示す矢印方向に単眼表示部６６を倒すことにより使用者の左目の前に単眼表示部６６を位置させることができる。この場合には、ヘッドフォンユニット６４に消音部材６７が設けられている耳あて部６５を取り付ける。また、使用者が補聴器を左耳に装着し、効き目が右目の場合には、図１１に示す矢印方向と反対側に単眼表示部６６を倒すことにより使用者の右目の前に単眼表示部６６を位置させることができる。この場合には、ヘッドフォンユニット６２に消音部材６７が設けられている耳あて部６５を取り付ける。
【００２３】
なお、上述の実施の形態において、消音部材検出部１８によりヘッドマウントディスプレイのヘッドフォンユニット６２，６４に設けられる消音部材を検出することができるようにしてもよい。即ち、消音部材が検出された場合には、消音部材が検出された側のヘッドフォンスピーカ８は音質及び音量の少なくとも一方に対して補正された音声の出力を行う。
【００２４】
また、上述の実施の形態において、両眼ヘッドマウントディスプレイに本発明を用いてもよい。即ち、両眼ヘッドマウントディスプレイのヘッドフォンユニットに設けられる消音部材を検出された場合には、消音部材１２が検出された側のヘッドフォンスピーカ８は音質及び音量の少なくとも一方に対して補正された音声の出力を行う。
【００２５】
また、上述の実施の形態においては、ヘッドフォン及びヘッドマウントディスプレイについて説明したが、更に電話機などにも本発明を用いることができる。
【符号の説明】
【００２６】
２…ヘッドフォン、４…左側ヘッドフォンユニット、６…右側ヘッドフォンユニット、８…ヘッドフォンスピーカ、１０…耳あて部、１２…消音部材、１６…密閉部材、１８…消音部材検出部、６０…ヘッドマウントディスプレイ、１００…補聴器。
【図１】
2011018985.tif 000003
【図２】
2011018985.tif 000004
【図３】
2011018985.tif 000005
【図４】
2011018985.tif 000006
【図５】
2011018985.tif 000007
【図６】
2011018985.tif 000008
【図７】
2011018985.tif 000009
【図８】
2011018985.tif 000010
【図９】
2011018985.tif 000011
【図１０】
2011018985.tif 000012
【図１１】
2011018985.tif 000013